(57)【要約】【課題】本発明は、設置場所の騒音環境レベルや聴覚報知レベルに応じ、聴覚信号の鮮明さと伝達力を切り替えられる聴覚報知装置およびそれを用いた生産装置を提供する。【解決手段】複数の外部制御信号の入力に対応づけられる聴覚報知信号の再生条件テーブル８を備えた聴覚報知装置1において、楽譜データを再生するとき、外部制御信号２１〜２８および副信号に応じて正弦波音階データまたは矩形波音階データを用いて報知音信号を生成し、増幅部６を介して内部スピーカ７より聴覚報知を行う。【選択図】図１
2014222304.tif 000002
【特許請求の範囲】
【請求項１】
複数の外部制御信号入力を受け付ける信号入力部と、各信号入力に対応づけられ、楽譜データを含む報知音データを記憶する報知音記憶部と、外部制御信号の入力がされたときに報知音データの再生を行う制御部を有する聴覚報知装置において、
外部制御信号の少なくとも一部の入力時に副信号が制御部に入力されているときには楽譜データを矩形波音階データで生成し聴覚報知するとともに、外部制御信号の入力時に副信号が制御部に入力されていないときには楽譜データを正弦波音階データで生成し聴覚報知することを特徴とする聴覚報知装置。
【請求項２】
副信号が内部設定スイッチにより生成されることを特徴とする請求項１記載の聴覚報知装置。
【請求項３】
信号入力部の少なくとも一部を、副信号入力を伴う外部制御信号入力部として取り扱うことを特徴とする請求項１または２記載の聴覚報知装置。
【請求項４】
信号入力部の少なくとも一部を副信号入力部とすることを特徴とする請求項１乃至３記載の聴覚報知装置。
【請求項５】
報知音データの少なくとも一部に音声符号化データを含み、入力される外部制御信号が音声符号化データに対応づけられているとき、音声符号化データを復号し聴覚報知することを特徴とする請求項１乃至４記載の聴覚報知装置。
【請求項６】
副信号入力が、設置環境における騒音レベルが設定値以上の時に入力される信号であることを特徴とする請求項１乃至５記載の聴覚報知装置。
【請求項７】
複数の外部制御信号の入力を受け付ける信号入力ステップと、制御信号毎に楽譜データまたは音声データまたは伝達力向上信号を対応付けした再生条件テーブルと、報知する聴覚信号を矩形波音階データで生成するか、正弦波音階データで生成するかを判断する生成信号判断ステップを有する聴覚報知信号の再生制御プログラムを備えたことを特徴とする聴覚報知装置。
【請求項８】
請求項１乃至７記載の聴覚報知装置を備えた生産装置。
【発明の詳細な説明】
【技術分野】
【０００１】
この発明は、複数の引き出し線を有し、複数の音色を再生する聴覚報知装置およびそれを用いた生産装置に関する。
【背景技術】
【０００２】
聴覚報知装置は、工場設備や施設などに設置され、制御信号に対応したチャイムやアラーム音などの電子音や音声メッセージが報知されるように構成されている。
【先行技術文献】
【特許文献】
【０００３】
【特許文献１】特開２００１−２９１１７８号公報
【発明の概要】
【発明が解決しようとする課題】
【０００４】
特許文献１の先行技術では、警報器本体から外部に引き出され、それぞれが音色を登録可能なチャンネル機能を有する複数の引出線と、前記チャンネル機能を有する引出線の数よりも多い数の音色が音色番号を付されて記憶された音源部とを備えている。従来から再生する音色の違いがわかるように音色の選択手段を設けていた。しかしながら、特許文献１の先行技術では、閑静な場所、場面では聞き取れる音色であっても、騒音下にある場所、場面においては騒音に埋もれてしまう怖れがあった。
【０００５】
そこで、この発明の目的は、聴覚報知する内容や場面に応じて、報知音データの再生方法を選択できるような聴覚報知装置を提供することである。
【課題を解決するための手段】
【０００６】
この発明は、複数の外部制御信号入力を受け付ける信号入力部と、各信号入力に対応づけられ、楽譜データを含む報知音データを記憶する報知音記憶部と、外部制御信号の入力がされたときに報知音データの再生を行う制御部を有する聴覚報知装置において、外部制御信号の少なくとも一部の入力時に副信号が制御部に入力されているときには楽譜データを矩形波音階データで生成し聴覚報知するとともに、外部制御信号の入力時に副信号が制御部に入力されていないときには楽譜データを正弦波音階データで生成し聴覚報知することを特徴とする。
【０００７】
この構成によれば、副信号が入力されているときには、矩形波音階データを用いることで、騒音に埋もれにくい複数の周波数を有する報知音を再生する。また、副信号が入力されていないときには、正弦波音階データを用いることで、鮮明な報知音を再生する。つまり、その使用場面に適した報知音の聴覚報知を行うことができるから好ましい。
【０００８】
この発明の一実施形態に係る聴覚報知装置は、副信号が内部設定スイッチにより生成されることを特徴とする。この構成によれば、騒音が激しい場所や聴覚報知の認知性向上が必要な場面においては、設置現場での内部設定スイッチ操作により、楽譜データを矩形波で生成する聴覚報知を行うことができるから好ましい。また閑静な場所や鮮明な報知音が必要な場面においては、設置現場での内部設定スイッチ操作により、楽譜データを正弦波音階データで生成する聴覚報知を行うことできるから好ましい。
【０００９】
この発明の一実施形態に係る聴覚報知装置は、信号入力部の少なくとも一部を、副信号入力を伴う外部制御信号入力部として取り扱うことを特徴とする。この構成によれば、設置現場における騒音環境や、聴覚報知内容の重要性等に応じて、聴覚報知装置の外部から副信号を入力できるから好ましい。
【００１０】
この発明の一実施形態に係る聴覚報知装置は、報知音データの少なくとも一部に音声符号化データを含み、入力される外部制御信号が音声符号化データに対応づけられているとき、音声符号化データを復号し聴覚報知することを特徴とする。この構成によれば、聴覚報知として、アラーム音やメロディ音といった楽譜データから生成した報知音に加え、音声メッセージ（合成音声データ含む）を報知音として利用できる聴覚報知装置を提供でき、聴覚報知での情報伝達量が向上するから好ましい。
【００１１】
この発明の一実施形態に係る聴覚報知装置は、副信号入力が、設置環境における騒音レベルが設定値以上の時に入力される信号であることを特徴とする。この構成によれば、設置環境における騒音レベルが設定値未満のとき、つまり比較的静かなときには鮮明な聴覚報知を行う。さらに騒音レベルが設置値以上のとき、つまり騒音が激しく、通常の聴覚報知で認知し難い環境下では伝達力の高い聴覚報知を行えるから好ましい。
【００１２】
この発明の一実施形態に係る聴覚報知装置は、複数の外部制御信号の入力を受け付ける信号入力ステップと、制御信号毎に楽譜データまたは音声データまたは伝達力向上信号を対応付けした再生条件テーブルと、報知する聴覚信号を矩形波音階データで生成するか、正弦波音階データで生成するかを判断する生成信号判断ステップを有する聴覚報知信号の再生制御プログラムを備えたことを特徴とする。また生産装置が上記聴覚報知装置を備えたことを特徴とする。この構成によれば生産装置を使用する現場での騒音環境に合わせ、聴覚報知信号を変更できるから好ましい。より具体的には、聴覚報知信号の音圧を高めることなく、その気づき易さを向上できるから好ましい。
【図面の簡単な説明】
【００１３】
【図１】図１は、本発明の一実施形態に係る聴覚報知装置を説明するための全体概略構成図である。
【図２】図２は、外部制御信号入力に対応づけられた報知音種類と報知音データを説明するための再生条件テーブルである。
【図３】図３は、再生条件テーブルに基づき報知するときの再生制御プログラムである。
【発明を実施するための形態】
【００１４】
以下では、この発明の実施の形態を、添付図面を参照して詳細に説明する。図１は、本発明の一実施形態に係る聴覚報知装置１を説明するための全体概略構成図である。聴覚報知装置１は、報知音データとしての電子音データを内部または外部のスピーカより報知するものである。聴覚報知装置１は、生産設備、印刷機械、各種センサ等からの出力信号を自己に入力される制御信号として取り扱う信号入力部２と、前記入力される制御信号に応じて所望の報知音データを再生し、報知音波形を生成したり、報知音データを復号する制御部３と、報知音データや再生制御プログラム、再生条件を記憶した記憶部４と、ディップスイッチやトグルスイッチなどで構成される内部設定スイッチ５と、制御部３から出力される報知音信号を増幅する増幅部６と、増幅された報知音信号を聴覚信号として出力する内部スピーカ７、とより構成される。
【００１５】
信号入力部２には、８本の引き出し配線がある。信号入力部２は、聴覚報知装置１の外部から送信される第１制御信号Ｔ１が入力される第１制御信号線２１と、第２制御信号Ｔ２が入力される第２制御信号線２２と、第３制御信号Ｔ３が入力される第３制御信号線２３と、第４制御信号Ｔ４が入力される第４制御信号線２４と、第５制御信号Ｔ５が入力される第５制御信号線２５と、第６制御信号Ｔ６が入力される第６制御信号線２６と、第７制御信号Ｔ７が入力される第７制御信号線２７と、第８制御信号Ｔ８が入力される第８制御信号線２８を備えている。
【００１６】
後述のように第１制御信号Ｔ１〜第５制御信号Ｔ５は楽譜データに、第６制御信号Ｔ６および第７制御信号Ｔ７は音声データに、第８制御信号Ｔ８は伝達力向上信号に対応づけがされている。
【００１７】
制御部３は、信号入力部２へ入力される外部制御信号およびその外部制御信号に対応づけられた報知音データを用いて聴覚報知を行う。記憶部４は、報知音データとしての楽譜データや音声データが記憶される報知音記憶部４１と、信号入力部２へ入力される外部制御信号と報知音データを関連付ける再生条件テーブル８を記憶する再生条件テーブル記憶部４２と、外部制御信号、内部設定スイッチ５および再生条件テーブル８に基づき聴覚報知を行う再生プログラムを記憶した再生制御プログラム記憶部４３を含む。
【００１８】
報知音記憶部４１は、報知する楽譜データを記憶した楽譜データ記憶部４１ａと、報知する音声符号化データを記憶した音声データ記憶部４１ｂから構成される。楽譜データ記憶部４１ａは、報知する音階を時系列で設定した時系列楽譜データと、各音階を正弦波で作成した正弦波音階データと、各音階を矩形波で作成した矩形波音階データを記憶する。なお、この楽譜データ記憶部４１ａに記憶する各音階の正弦波データと矩形波データは、同じ音階であれば同じ周波数である。音声データ記憶部４１ｂに記憶される音声符号化データは、ＭＰ３、ＷＡＶ、ＷＭＡなどで符号化されているデータである。聴覚報知装置１に用いられる音声データとしては、比較的短文のメッセージデータがよく用いられる。
【００１９】
再生条件記憶部４２は、後述する再生条件テーブル８を記憶する。再生制御プログラム記憶部４３は、制御信号Ｔ１〜Ｔ８、内部設定スイッチ５ならびに再生条件テーブル８を参照して本発明の聴覚報知装置１の駆動制御を行う再生制御プログラムを記憶する。より詳しく述べると、制御部３は再生条件テーブル８の情報のもと、制御信号Ｔ１〜Ｔ８の入力に対応する報知音データを報知音記憶部４１から読み出す。読み出す報知音の種類に応じて、複数の正弦波音階データを用いて報知音信号を生成して増幅部に出力したり、複数の矩形波音階データを用いて報知音信号を生成して増幅部に出力したり、音声符号化データを復号して増幅部に出力したり、正弦波音階データを用いて再生中の時系列楽譜データを、矩形波音階データを用いて生成して報知音信号を増幅部に出力する。
【００２０】
内部設定スイッチ５は、信号入力部２に入力される制御信号によらず、楽譜データを、矩形波音階データを用いて生成しようとするときに利用する。なお、ディップスイッチを用いて内部設定スイッチ５を構成するとき、例えば第１制御信号線２１〜第５制御信号線２５への入力を、正弦波音階データを用いて生成、第６制御信号線２６〜第７制御信号線２７への入力を、矩形波音階データを用いて生成するなど、制御信号線毎に生成時に利用する楽譜データを選択することができる。増幅部６は、制御部５から出力される報知音信号を増幅するアンプ機能を有する。内部スピーカ７は、増幅部６から出力される増幅された報知音信号を聴覚信号として出力する。
【００２１】
図２を参照して、再生条件テーブル８には、信号入力部２へ入力される第１制御信号Ｔ１〜第８制御信号Ｔ８の信号個々に報知音データが関連付けられている。第１制御信号Ｔ１〜第５制御信号Ｔ５には、アラーム音やチャイム音の楽譜データが対応づけられている。第６制御信号Ｔ６および第７制御信号Ｔ７には音声符号化データである音声データが対応づけられている。第８制御信号Ｔ８には、報知する音は対応づけられていないが、伝達力向上信号が対応づけられている。より具体的には、第１制御信号Ｔ１には報知音「ブーブー」、第２制御信号Ｔ２には報知音「プルル」、第３制御信号Ｔ３には報知音「カンカン」、第４制御信号Ｔ４には報知音「パララ」、第５制御信号Ｔ５には報知音「ピーポピーポ」、第６制御信号Ｔ６には音声メッセージ「おはようございます」、第７制御信号Ｔ７には音声メッセージ「お待たせいたしました」のデータが関連付けられている。第８制御信号Ｔ８は、各種案内の聴覚報知を鮮明さより伝達力を向上して報知する際に利用される信号である。また第８制御信号Ｔ８を設置環境における騒音計の出力信号とするとき、騒音計で設定した設定騒音値以上になれば、周辺が騒がしい環境であるとして、本聴覚報知装置１へその出力信号を入力するようにしてもよい。さらに、聴覚報知装置１を生産装置に用いるとき、特定の加工作業実施中や特定の駆動モータが作動中のときに第８制御信号Ｔ８が入力されるようにしてもよい。それにより、前記加工作業を実施しているとき等には聴覚報知信号を認知しやすい矩形波音階データで報知でき、他方前記加工作業を実施していないとき等には鮮明な聴覚報知信号を報知することができるから好ましい。
【００２２】
図３を参照して、聴覚報知装置１の信号入力部２に制御信号Ｔ１乃至Ｔ８の少なくとも１つが入力される（ステップＳ１：信号入力ステップ）と、入力された制御信号に対応付けられた報知音の種類が何であるかを、再生条件テーブル８を用いて判断する（ステップＳ２：生成信号判断ステップ）。入力された制御信号が楽譜データに対応づけられているとき、副信号が入力されているかを判断する（ステップＳ３：生成信号判断ステップ）。副信号とは、内部設定スイッチ５で設定される矩形波で出力するような命令信号や、図２の制御信号Ｔ８の信号入力で示され矩形波を出力するよう命令信号のことをいい、直接的または間接的に制御部に入力される信号をいう。
【００２３】
副信号が入力されていないとき、制御部３は、鮮明な聴覚報知を行う制御信号が入力されたと判断して、前記制御信号に対応する報知音データとしての楽譜データである時系列音階データを、正弦波音階データを用いて報知音信号として生成し、増幅部６を介して内部スピーカ７に出力する（ステップＳ４）。内部スピーカ７は、入力された報知音信号を鮮明な聴覚信号として報知する（ステップ５）。
【００２４】
副信号が入力されているとき、制御部３は、警告や緊急性のある報知を行う要求信号が入力されたと判断したり、騒音環境下で聴覚報知に気づきにくい、或いは鮮明な聴覚報知よりも聴覚報知の存在を知らせたい要求信号が入力されたと判断する（ステップＳ３）。このとき、前記制御信号に対応する報知音データとしての楽譜データ、矩形波音階データを読み出し、報知音信号して生成し、増幅部６を介して内部スピーカ７に出力する（ステップＳ６）。内部スピーカ７は、入力された報知音信号を気づき易い聴覚信号として報知する（ステップＳ５）。
【００２５】
ステップ２に戻り、入力された制御信号が楽譜データに対応づけられていないとき、その制御信号が伝達力向上信号（副信号）に対応づけられているかを、再生条件テーブル８を参照して判断する（ステップＳ７：生成信号判断ステップ）。なお、このとき、伝達力向上信号（副信号）が内部ディップスイッチ５により入力されているかも合わせて判断する。その制御信号が伝達力向上信号に対応付けられていない時、その制御信号は音声データに対応づけられていると判断し、制御部３は対応する音声データを復号して増幅部６を介して内部スピーカ７に報知音信号を出力する（ステップＳ８）。内部スピーカ７は、入力された報知音信号を聴覚信号として報知する（ステップＳ５）。
【００２６】
ステップＳ７に戻り、入力された制御信号が伝達力向上信号に対応づけられているとき（ステップＳ７：生成信号判断ステップ）、楽譜データが聴覚信号として報知されているかを判断する（ステップＳ９：生成信号判断ステップ）。楽譜データが聴覚信号として報知されているとき、再生中の楽譜データである時系列音階データを、矩形波音階データを用いて生成し、増幅部６を介して内部スピーカ７に報知音信号を出力する（ステップＳ１０）。内部スピーカ７は、入力された報知音信号を聴覚信号として報知する（ステップＳ５）。
【００２７】
ステップＳ９に戻り、入力された制御信号が伝達力向上信号に対応づけられているにも関わらず楽譜データが聴覚信号として報知されていないときには、新たな制御信号の入力を待つ（ステップＳ９）。
【００２８】
本発明の実施形態での信号入力部２は、聴覚報知装置１から複数の引き出し配線８本を設ける構成として説明するが、複数の引き出し配線を設ける代わりに、複数配線が接続可能な端子台を設けたり、シリアル通信を用いたデータ通信を行うようにしてもよい。また、増幅部６と内部スピーカ７を聴覚報知装置１に内蔵するものとして説明したが、その限りでない。外部装置として、増幅部やスピーカを設けてもよい。
【００２９】
本発明を具体的な実施態様により詳細に説明したが、上記の内容を理解した当業者は、その変更、改変および均等物を容易に考えられるであろう。従って、本発明は特許請求の範囲およびその均等の範囲とするべきである。
【符号の説明】
【００３０】
１    聴覚報知装置
２    信号入力部
３    制御部
４    記憶部
４１  報知音記憶部
４１ａ楽譜データ記憶部
４１ｂ音声データ記憶部
４２  再生条件記憶部
４３  再生制御プログラム記憶部
５    内部設定スイッチ
６    増幅部
７    内部スピーカ
８    再生条件テーブル
【図１】
2014222304.tif 000003
【図２】
2014222304.tif 000004
【図３】
2014222304.tif 000005